(57)【要約】【課題】  サッシ枠形材の工場出荷時に加工装置を用いて形材両端部分の切欠や孔明け等の切削加工を行う場合、その切削加工等に使用される加工装置は一般的に高額な工作機械であり、その設備投資を避けることが望まれていた。【解決手段】  サッシ枠１０は形材の長手方向交差面２２においてその寸法のみが加工されると共に、前記長手方向に沿ってタッピングホール２３が形成されている左右縦枠２０，２１と、形材の交差面３２においてその寸法のみが加工されると共に、前記形材の長手方向に沿ってタッピングホール３３が形成されている上下枠３０，３１と、左右縦枠２０，２１の各上端と上枠３０の各端部をそれぞれ接続する第１及び第２のコーナーブロック４０，４１と、左右縦枠２０，２１の各下端と下枠３１の各端部をそれぞれ接続する第３及び第４のコーナーブロック４２，４３とを備えており、前記各形材の端部において、切欠やネジ孔が加工されることはない。【選択図】        図１
2018003563.tif 000002
【特許請求の範囲】
【請求項１】
形材の長手方向に交差する面において、その寸法のみが加工された左右の縦枠と、
形材の長手方向に交差する面において、その寸法のみが加工された上下の横枠と、
上横枠と左右縦枠を接続する各コーナーブロックと、
下横枠と左右縦枠を接続する各コーナーブロックと、
を備えたサッシ枠。
【請求項２】
前記下横枠に固定されるコーナーブロックに、掃出段部を形成したことを特徴とする請求項１に記載のサッシ枠。
【請求項３】
形材の長手方向に交差する面において形材の寸法のみが加工された左右縦枠と、形材の長手方向に交差する面においてその寸法のみが加工された上横枠とが各コーナーブロックにより接続され、前記左右縦枠と形材の長手方向に交差する面においてその寸法のみが加工された下横枠とが各コーナーブロックにより接続されることを特徴とするサッシ枠の組付構造。
【請求項４】
左右の縦枠として、形材の長手方向に交差する面において形材の寸法のみを加工し、
上下の横枠として、形材の長手方向に交差する面において形材の寸法のみを加工し、
横枠にコーナーブロックを固定すると共にそのコーナーブロックに縦枠を固定し、又は、縦枠にコーナーブロックを固定すると共にそのコーナーブロックに横枠を固定することを特徴とするサッシ枠の組付方法。
【発明の詳細な説明】
【技術分野】
【０００１】
本願発明は、建物の開口部に取付けられるサッシ枠、その組付構造及びその組付方法に関する。
【背景技術】
【０００２】
建物の開口部においては、通常、サッシ枠が固定され、そのサッシ枠に障子等が配置される構造となっている。
そのサッシ枠を組み立てる場合には、上下枠のそれぞれの端部と、左右縦枠のそれぞれの端部とを当接させて四周を連続させるために、上下枠及び／又は左右縦枠のそれぞれの端部に切欠を加工したり、孔明加工を行っていた。
【０００３】
例えば、特許文献１では「上下の横枠６と左右の縦枠７は次のようにして組み付けサッシ枠２とする・・・左右の縦枠７（ａ，ｂ）の上部において・・・それぞれの上下方向寸法（見付幅）分だけ切り下げ切除する・・・遮水壁３０は見込み方向壁２９の内周面から寸法ｄ２を残して切除し・・・突条３５とする・・・左右の縦枠７（ａ，ｂ）の下部も同様に・・・室内側壁３２を切除する・・・上下横枠６（ａ，ｂ）は、端面を長手方向と直交するように切断する・・・遮水壁２４の端部を端縁から寸法ｄ２だけ切除し切欠３６を形成する。いずれも両端を同様に加工する・・・縦枠７の突条３５は横枠６の切欠３６に嵌まり込み・・・突条３５と切欠３６の嵌合は縦枠７に横枠６を突当てて位置決めする際に位置決めを容易にし・・・各コーナーの連結部が形成されてサッシ枠２が完成する。」と記載されている（段落００２１〜同００２５）。
【先行技術文献】
【特許文献】
【０００４】
【特許文献１】特開平１０−６１３４７号公報
【０００５】
このような従来例のサッシ枠の構成及びこれに対応する組付構造及び組付方法の課題を列挙すれば次の通りである。
（１）  形材の切欠加工及び孔明加工は、手間のかかるもので、しかも精度よく加工するには熟練を要していた。
（２）  （１）の課題は、形材の工場出荷時に、加工装置を用いて形材等の加工材の両端部分の切欠や孔明け等の切削加工を行うことで解消できるが、その切削加工等に使用される加工装置は一般的に高額な工作機械であり、その設備投資を検討する必要があった。
（３）  工場出荷時に加工された形材が、建物の施工現場の開口部の寸法変更等により形材の寸法を短くする必要が生じた場合、その寸法を切断加工した後に、再び切欠き等を形成する必要があった。
【発明の概要】
【発明が解決しようとする課題】
【０００６】
そこで、本願発明は、形材の切欠加工及び孔明加工が不要であり、サッシ枠の組付けに熟練を要することなく、また、形材の加工装置は、形材の切断の仕様のみとし、切削加工や孔明加工のための高価な加工装置のための設備投資を不必要として、さらに建物の施工現場において、開口部の寸法変更等により形材の寸法を短くする必要が生じた場合、その寸法を切断加工するのみで足り、再び切欠き等を形成する必要がないサッシ枠、その組付構造及びその組付方法を提供することを目的とする。
【課題を解決するための手段】
【０００７】
上記課題を解決するため、本願発明に係るサッシ枠は、形材の長手方向に交差する面において、その寸法のみが加工された左右の縦枠と、形材の長手方向に交差する面において、その寸法のみが加工された上下の横枠と、上横枠と左右縦枠を接続する各コーナーブロックと、下横枠と左右縦枠を接続する各コーナーブロックとを備えたサッシ枠とした（請求項１に記載の発明）。
【０００８】
上記課題を解決するため、本願発明に係るサッシ枠の組付構造は、形材の長手方向に交差する面において形材の寸法のみが加工された左右縦枠と、形材の長手方向に交差する面においてその寸法のみが加工された上横枠とが各コーナーブロックにより接続され、前記左右縦枠と形材の長手方向に交差する面においてその寸法のみが加工された下横枠とが各コーナーブロックにより接続される構造となっている（請求項３に記載の発明）。
【０００９】
上記課題を解決するため、本願発明に係るサッシ枠の組付方法は、左右の縦枠として、形材の長手方向に交差する面において形材の寸法のみを加工し、上下の横枠として、形材の長手方向に交差する面において形材の寸法のみを加工し、横枠にコーナーブロックを固定すると共にそのコーナーブロックに縦枠を固定し、又は、縦枠にコーナーブロックを固定すると共にそのコーナーブロックに横枠を固定する組付方法とした（請求項４に記載の発明）。
【００１０】
前記下横枠に固定される前記コーナーブロックに掃出段部を形成したことを特徴とするサッシ枠とした（請求項２に記載の発明）。
【発明の効果】
【００１１】
本願発明によれば、形材の切欠加工及び孔明加工が不要であり、サッシ枠の組付けに、熟練を要することなく、また、形材の加工装置は、形材の切断の仕様のみとし、切削加工や孔明加工のための高価な加工装置のための設備投資を不必要として、さらに建物の施工現場において、開口部の寸法変更等により形材の寸法を短くする必要が生じた場合、その寸法を切断加工するのみで足り、再び切欠き等を形成する必要がないサッシ枠、その組付構造及び組付方法を提供することができる。
【図面の簡単な説明】
【００１２】
【図１】サッシ枠の分解斜視図、
【図２】サッシ枠の要部斜視図、
【図３】同分解斜視図、
【図４】（１）第３コーナーブロックの平面図、（２）同正面図及び（３）同右側面図、
【図５】別例に係るサッシ枠の要部斜視図、
【図６】同分解斜視図、
【図７】（１）第３コーナーブロックの平面図、（２）同正面図及び（３）同右側面図である。
【発明を実施するための形態】
【００１３】
本願発明に係るサッシ枠１０は、開口部（図示せず）に配置されると共に、障子等を建て込むための枠となるもので、図１乃至図３に図示されているように、形材の長手方向に交差する面（以下、交差面）２２において、その寸法のみが加工されると共に、前記形材の長手方向に沿って、タッピングホール２３が形成されている左縦枠（外観左側の縦枠）２０及び右縦枠（外観右側の縦枠）２１と、形材の交差面３２において、その寸法のみが加工されると共に、前記形材の長手方向に沿って、タッピングホール３３が形成されている上横枠（以下、上枠とも称する）３０及び下横枠（以下、下枠とも称する）３１と、左右縦枠２０，２１の各上端と上枠３０の各端部をそれぞれ接続する第１及び第２のコーナーブロック４０，４１と、左右縦枠２０，２１の各下端と下枠３１の各端部をそれぞれ接続する第３及び第４のコーナーブロック４２，４３と、第１〜第８の水密材８０〜８７を備えている。
【００１４】
建物の開口部に固定される寸法に切断された前記左右縦枠２０，２１及び上下枠３０，３１は、その後、切欠やネジ孔が形成されることはなく、これらの切欠やネジ孔は、図１乃至図３には図示されていない。
なお、本書において詳述するサッシ枠に共通する構成は、共通する用語を用いると共に、各図において略同一に図示して詳細な説明は省略し、必要に応じて同一の符号で示すこととする。
【００１５】
前記左縦枠２０には、その長手方向に溝部２４、室外板部２５及び前記溝部２４の背面に２条のタッピングホール２３が形成されており、前記交差面２２においてタッピングホール２３、溝部２４及び室外板部２５の各断面が臨まれる。
前記タッピングホール２３は、第１及び第３のコーナーブロック４０，４２と接続するためのネジを緊結するために使用される。
前記溝部２４は、引違い障子の縦框が入り込めるようにしたもので、前記室外板部２５は開口部の室外側をカバーすると共に、柱等に当接させて室内外方向の位置決めを行うものである。なお、上枠３０と下枠３１にも、室外板部２５と室内外方向の同一位置に、それぞれ室外板部３４，３５が設けられている。
前記左縦枠２０は上記のように形成され、その交差面２２が含まれる左縦枠２０の端部において、切欠やネジ孔が形成されることはない。
【００１６】
前記右縦枠２１は、前記左縦枠２０と略同一に構成されているので、その詳細な説明は省略する。
【００１７】
前記上枠３０は、その長手方向において、下枠３１に形成されているレール部５と共に障子を案内するガイド部６と、その背面に２条のタッピングホール３３が形成されており、前記交差面３２においてガイド部６及びタッピングホール３３の各断面が臨まれる。
【００１８】
前記上枠３０の交差面３２が含まれる端部において、切欠やネジ孔が加工されることはない。
【００１９】
前記下枠３１は、その長手方向において、レール部５とその背面に２条のタッピングホール３３が形成されており、前記交差面３２においてレール部５及びタッピングホール３３の各断面が臨まれる。
【００２０】
前記下枠３１においては、その交差面３２が含まれる端部において、切欠やネジ孔が加工されることはない。
【００２１】
前記第１のコーナーブロック４０は、図１に図示したように、前記左縦枠２０を固定する縦枠固定部４４と、前記上枠３０を固定する上枠固定部４５からなる。
【００２２】
前記縦枠固定部４４は、前記左縦枠２０の短手方向の幅に略一致する横辺４４０と縦辺４４１を備え、前記タッピングホール２３に連通するネジ孔４４２を形成するために必要な長方形状の固定板部４４３と前記室外板部２５に連続させる室外片４４４を備えている。
【００２３】
上枠固定部４５は、前記固定板部４４３から略直角に折上げられる折上片４５０からなり、この折上片４５０は、前記上枠３０の短手方向の幅に略一致する横辺４５１と、前記上枠３０の交差面３２に当接できる幅の縦辺４５２を備えて、長方形状に形成されている。
この折上片４５０には、前記タッピングホール３３に連通するネジ孔４５３が形成されていると共に、前記溝部２４に連続させる縦ヒレ４５４が形成されている。
【００２４】
第２のコーナーブロック４１は、図１に図示するように、前記右縦枠２１を固定する縦枠固定部４４と、前記上枠３０を固定する上枠固定部４５からなり、これらは前記第１のコーナーブロック４０と略同一に構成されているので、詳細な説明は省略する。
【００２５】
第３のコーナーブロック４２は、図１〜図４のように、前記左縦枠２０を固定する縦枠固定部４６と、前記下枠３１を固定する下枠固定部４７からなる。
【００２６】
縦枠固定部４６は、前記左縦枠２０の短手方向の幅に略一致する横辺４６０と縦辺４６１を備え、前記タッピングホール２３に連通するネジ孔４６２を形成するために必要な長方形状の固定板部４６３と前記室外板部２５に連続させる室外片４６４を備えている。
【００２７】
下枠固定部４７は、前記固定板部４６３から略直角に折下げられる折下片４７０からなり、この折下片４７０は、前記下枠３１の短手方向の幅に略一致する横辺４７１と、前記下枠３１の交差面３２を当接できる幅の縦辺４７２を備えた長方形状に形成されている。
この折下片４７０には、前記タッピングホール３３に連通するネジ孔４７３が形成されていると共に、前記溝部２４に連続させる縦ヒレ４７４が形成されている。
【００２８】
第４のコーナーブロック４３は、図１のように、前記右縦枠２１を固定する縦枠固定部４６と、前記下枠３１を固定する下枠固定部４７からなる。これらは前記第３のコーナーブロック４２と略同一に構成されているので、詳細な説明は省略する。
【００２９】
上述のように構成された第１乃至第４のコーナーブロック４０〜４３においては、各縦枠固定部４４，４６の横幅は、左右縦枠２０，２１の短手方向の幅に一致し、また上下枠固定部４５，４７の横幅も、上下枠３０，３１の短手方向の幅に一致している。
よって、第１乃至第４のコーナーブロック４０〜４３を用いて、左右縦枠２０，２１及び上下枠３０，３１を組付けた場合、例えば、室外板部２５，３４及び室外片４４４や、室外板部２５，３５及び室外片４６４等の各組付個所は、略面一となり、凹凸が形成されずに、従来の上下枠と縦枠との接合構造とは異なったシンプルな形態となっている。
【００３０】
前記第１の水密材８０〜第８の水密材８７は、弾性を備えた素材（例えばブチルゴム）により構成され、第１乃至第４のコーナーブロック４０〜４３により、左右縦枠２０，２１と上下枠３０，３１を固定するネジで締め付けることによって、防水機能が発揮されるもので、それぞれ前記交差面２２及び３２の形状と略同一に成形されている。
第１の水密材８０は、左縦枠２０の上端と第１のコーナーブロック４０間に、第２の水密材８１は、上枠３０の左端と第１のコーナーブロック４０間に、第３の水密材８２は、上枠３０の右端と第２のコーナーブロック４１間に、第４の水密材８３は、右縦枠２１の上端と第２のコーナーブロック４１間に配置されている。
第５の水密材８４は、左縦枠２０の下端と第３のコーナーブロック４２間に、第６の水密材８５は、下枠３１の左端と第３のコーナーブロック４２間に、第７の水密材８６は、下枠３１の右端と第４のコーナーブロック４３間に、第８の水密材８７は、右縦枠２１の下端と第４のコーナーブロック４３間に、それぞれ配置されている。
【００３１】
以上のような構成を備えたサッシ枠の作用効果は、次の通りである。
（１）  前記交差面２２において、その寸法のみが加工される左右縦枠２０，２１と前記交差面３２において、その寸法のみが加工される上下枠３０，３１に対して、第１、第２、第３及び第４のコーナーブロック４０，４１、４２，４３を用いて、それぞれのタッピングホール２３，３３にネジ止めすればよいので、サッシ枠の組付けが容易であり、特別な熟練は不要となっている。
（２）  サッシ枠は、前記左右縦枠２０，２１、前記上下枠３０，３１及び第１、第２、第３及び第４のコーナーブロック４０，４１、４２，４３を備えているので、高額な加工装置を用いて形材等の加工材の両端部分の切欠や孔明け等の切削加工を行う必要はなく、そのための設備投資は不要となる。
（３）  建物の施工現場の開口部の寸法変更等のために形材の寸法を短くする必要がある場合であっても、左右縦枠２０，２１又は上下枠３０，３１の寸法を切断加工すれば足り、切欠き等の再形成は不要である。
（４）  前記左縦枠２０、上枠３０及び第１のコーナーブロック４０の組付個所、前記右縦枠２１、上枠３０及び第２のコーナーブロック４１の組付個所、前記左縦枠２０と下枠３１及び第３のコーナーブロック４２の組付個所及び前記右縦枠２１、下枠３１、第４のコーナーブロック４３の組付個所は、それぞれ略面一となり、従来の上枠と縦枠との接合構造とは異なる形態となっている。
（５）  第１の水密材８０は、左縦枠２０の上端と第１のコーナーブロック４０間に、第２の水密材８１は、上枠３０の左端と第１のコーナーブロック４０間に、第３の水密材８２は、上枠３０の右端と第２のコーナーブロック４１間に、第４の水密材８３は、右縦枠２１の上端と第２のコーナーブロック４１間に配置されているので、上部側の各交差面２２，３２での水密を図ることができる。
また、第５の水密材８４は、左縦枠２０の下端と第３のコーナーブロック４２間に、第６の水密材８５は、下枠３１の左端と第３のコーナーブロック４２間に、第７の水密材８６は、下枠３１の右端と第４のコーナーブロック４３間に、第８の水密材８７は、右縦枠２１の下端と第４のコーナーブロック４３間に、それぞれ配置されているので、下部側の各交差面２２，３２での水密を図ることができる。
【００３２】
以上のような構成を備えたサッシ枠による組付構造は、次の通りである。
前記左縦枠２０と上枠３０とが第１のコーナーブロック４０により接続され、前記右縦枠２１と上枠３０とが第２のコーナーブロック４１により接続され、前記左縦枠２０と下枠３１とが第３のコーナーブロック４２により接続され、前記右縦枠２１と下枠３１とが第４のコーナーブロック４３により接続されている構造となっている。
【００３３】
以上のように構成されたサッシ枠の組付方法について、説明する。
Ａ  形材を加工する。
左右の縦枠２０，２１として、形材の寸法のみを加工し、また上下の横枠３０，３１として、形材の寸法のみを加工する。
Ｂ  第１乃至第４のコーナーブロック４０〜４３を用いて左右縦枠２０，２１及び上下枠３０，３１を固定する。
即ち、左縦枠２０の前記交差面２２に、第１のコーナーブロック４０の固定板部４４３を当接させつつ、ネジ孔４４２を介してタッピングホール２３にネジ固定する。
また、第１のコーナーブロック４０の折上片４５０に、上枠３０の交差面３２を当接させつつ、ネジ孔４５３を介して、タッピングホール３３にネジ固定する。
同様に、第２乃至第４のコーナーブロック４１〜４３を用いて左右縦枠２０，２１及び上下枠３０，３１を固定してサッシ枠を矩形状にする。
なお、組付けの順番は限定されるものではなく、例えば、上枠３０を第１のコーナーブロック４０に固定してから左縦枠２０を固定してもよく、上枠３０の両端部（左右）に第１及び第２のコーナーブロック４０，４１を固定してから左右縦枠２０，２１を固定してもよい。また、左縦枠２０の両端部（上下）に第１及び第３のコーナーブロック４０，４２を固定してから上枠３０と下枠３１を固定してもよい。
【００３４】
以上のような組付方法の効果は、次の通りである。
（６）  サッシ枠を構成する上下枠３０，３１、左右縦枠２０，２１等の工場出荷時には、それぞれの端部の切欠加工や孔明加工の工程を省略できる。
（７）  また、施工現場において開口部１の寸法変更等が発生しても、上下枠３０，３１及び／又は左右縦枠２０，２１のそれぞれの端部の切欠加工や孔明加工の工程を省略できる。
【００３５】
次に図５から図７に基づいて別例の実施例を説明する。
この実施例が、上記実施例と異なる構成は、第３コーナーブロック４２に、ゴミ等を掃き出すと共に、結露水等を枠外に排水することができる掃出段部４８を設けた点である。
この掃出段部４８は、前記第３コーナーブロック４２の折下片４７０から、前記交差面３２の断面形状と略同一の形状を延在させたもので、且つ、レール部５の一部を除去した形状に形成される。
前記第４コーナーブロック４３にも同様に前記掃出段部４８を形成してもよい。
【００３６】
以上のような別例の実施例の効果は、次の通りである。
（８）  従来のサッシ枠とは異なり、掃出段部用の切欠き加工は不要となっている。
【００３７】
本発明は、以上説明した実施形態に限定されるものではなく、多くの変形が本発明の技術的思想内で当分野において、通常の知識を有する者により可能である。例えば、実施形態のスライディングサッシ枠ではなくプロジェクトサッシ枠でもよく、ガラスを建て込むＦＩＸ枠でもよい。
【符号の説明】
【００３８】
１０  サッシ枠
２０  左縦枠                            ２１  右縦枠
２２  交差面                            ２３  タッピングホール
２４  溝部                              ２５  室外板部
３０  上枠                              ３１  下枠
３２  交差面                            ３３  タッピングホール
４０  第１のコーナーブロック            ４１  第２のコーナーブロック
４２  第３のコーナーブロック            ４３  第４のコーナーブロック
４４  縦枠固定部
４４０  横辺                            ４４１  縦辺
４４２  ネジ孔                          ４４３  固定板部
４４４  室外片
４５  上枠固定部                        ４５０  折上片
４５１  横辺                            ４５２  縦辺
４５３  ネジ孔                          ４５４  縦ヒレ
４６  縦枠固定部
４６０  横辺                            ４６１  縦辺
４６２  ネジ孔                          ４６３  固定板部
４６４  室外片
４７  下枠固定部                        ４７０  折下片
４７１  横辺                            ４７２  縦辺
４７３  ネジ孔                          ４７４  縦ヒレ
４８  掃出段部
５  レール部
６  ガイド部
８０  第１の水密材                      ８１  第２の水密材
８２  第３の水密材                      ８３  第４の水密材
８４  第５の水密材                      ８５  第６の水密材
８６  第７の水密材                      ８７  第８の水密材
【図１】
2018003563.tif 000003
【図２】
2018003563.tif 000004
【図３】
2018003563.tif 000005
【図４】
2018003563.tif 000006
【図５】
2018003563.tif 000007
【図６】
2018003563.tif 000008
【図７】
2018003563.tif 000009